(57)【要約】  マルチキャリア無線ネットワークまたは直交波周波数分割多重（OFDM）ネットワークにおける誤り訂正のためのアプローチを提供する。第１の速度は第１の誤り訂正チャンネルに割り当てられる。第２の速度は第２の誤り訂正チャンネルに割り当てられ、ここで第１の速度と第２の速度は異なっている。
2009522835.tif 000002
【特許請求の範囲】
【請求項１】
第１の速度を第１の誤り訂正チャンネルに割り当てるステップと、
第２の速度を第２の誤り訂正チャンネルに割り当てるステップとを含み、
前記第１の速度と前記第２の速度が異なっている、
ことを特徴とする方法。
【請求項２】
前記第１及び第２の誤り訂正チャンネルのそれぞれは、ハイブリッド自動再送要求スキームを提供する同期チャンネルである請求項１に記載の方法。
【請求項３】
前記第１の速度は第１のサービスレベルに対応し、前記第２の速度は第２のサービスレベルに対応する請求項１に記載の方法。
【請求項４】
前記第１のサービスレベルは、電話サービスを含むパケット化音声アプリケーションをサポートする請求項３に記載の方法。
【請求項５】
前記第１の誤り訂正チャンネルと関連するパラメータを取り決めるステップと、
前記取り決められたパラメータに従って前記第１の誤り訂正チャンネルを通じてパケットを受信するステップとをさらに含む、請求項１に記載の方法。
【請求項６】
前記第１の誤り訂正チャンネルを通じて伝送されるデータの伝送中に、前記第１の誤り訂正チャンネルと関連する前記パラメータを再取り決めするステップをさらに含む、請求項５に記載の方法。
【請求項７】
伝送ユニットの伝送中に前記第１の速度または前記第２の速度を動的に調整するステップをさらに含む請求項１に記載の方法。
【請求項８】
前記動的な調整は、前記伝送ユニットのフォーマット、目的の受信端末または前記伝送ユニットのペイロードの何れかに基づく、請求項７に記載の方法。
【請求項９】
前記第１及び第２の誤り訂正チャンネルは、マルチキャリア無線ネットワークまたは直交周波数分割多重（OFDM）ネットワークを通じて確立される、請求項１に記載の方法。
【請求項１０】
第１の速度を第１の誤り訂正チャンネルに割り当て、かつ、
第２の速度を第２の誤り訂正チャンネルに割り当てるように構成されたプロセッサを有し、
前記第１の速度と前記第２の速度が異なっている、
ことを特徴とする装置。
【請求項１１】
前記第１及び第２の誤り訂正チャンネルのそれぞれは、ハイブリッド自動再送要求スキームを提供する同期チャンネルである請求項１０に記載の装置。
【請求項１２】
前記第１の速度は第１のサービスレベルに対応し、前記第２の速度は第２のサービスレベルに対応する請求項１０に記載の装置。
【請求項１３】
前記第１のサービスレベルは、電話サービスを含むパケット化音声アプリケーションをサポートする請求項１２に記載の装置。
【請求項１４】
前記プロセッサは前記第１の誤り訂正チャンネルと関連するパラメータを取り決めるようにさらに構成され、
パケットが前記取り決められたパラメータに従って前記第１の誤り訂正チャンネルを通じて受信される、請求項１０に記載の装置。
【請求項１５】
前記プロセッサは前記第１の誤り訂正チャンネルを通じて伝送されるデータの伝送中に、前記第１の誤り訂正チャンネルと関連する前記パラメータを再取り決めするようにさらに構成される、請求項１４に記載の装置。
【請求項１６】
前記プロセッサは伝送ユニットの伝送中に前記第１の速度または前記第２の速度を動的に調整するようにさらに構成される、請求項１０に記載の装置。
【請求項１７】
前記動的な調整は、前記伝送ユニットのフォーマット、目的の受信端末または前記伝送ユニットのペイロードの何れかに基づく、請求項１６に記載の装置。
【請求項１８】
前記第１及び第２の誤り訂正チャンネルは、マルチキャリア無線ネットワークまたは直交周波数分割多重（OFDM）ネットワークを通じて確立される、請求項１０に記載の装置。
【請求項１９】
請求項１０に記載の装置を有し、かつ前記第１の誤り訂正チャンネルを通じて端末へパケットを伝送するように構成された送信機をさらに有することを特徴とするシステム。
【請求項２０】
第１の速度の第１の誤り訂正チャンネルを通じてパケットを伝送するステップと、
第２の速度の第２の誤り訂正チャンネルを通じて別のパケットを伝送するステップとを含み、
前記第１の速度と前記第２の速度は異なっている。
ことを特徴とする方法。
【請求項２１】
前記第１及び第２の誤り訂正チャンネルのそれぞれは、ハイブリッド自動再送要求スキームを提供する同期チャンネルである請求項２０に記載の方法。
【請求項２２】
前記第１の速度は第１のサービスレベルに対応し、前記第２の速度は第２のサービスレベルに対応し、前記第１のサービスレベルは電話サービスを含むパケット化音声アプリケーションをサポートする、請求項２０に記載の方法。
【請求項２３】
前記第１の誤り訂正チャンネルと関連するパラメータを取り決めるステップと、
前記取り決められたパラメータに従って前記第１の誤り訂正チャンネルを通じてデータを伝送するステップと、
前記第１の誤り訂正チャンネルを通じて伝送されるデータの伝送中に、前記第１の誤り訂正チャンネルと関連する前記パラメータを再取り決めするステップとをさらに含む、請求項２０に記載の方法。
【請求項２４】
伝送ユニットの伝送中に、前記第１の速度または前記第２の速度が、前記伝送ユニットのフォーマット、目的の受信端末または前記伝送ユニットのペイロードの何れかに基いて動的に調整される、請求項２０に記載の方法。
【請求項２５】
前記第１及び第２の誤り訂正チャンネルは、マルチキャリア無線ネットワークまたは直交周波数分割多重（OFDM）ネットワークを通じて確立される、請求項２０に記載の方法。
【請求項２６】
第１の速度の第１の誤り訂正チャンネルを通じてパケットを伝送し、かつ第２の速度の第２の誤り訂正チャンネルを通じて別のパケットを伝送するように構成された送信機を有し、
前記第１の速度と前記第２の速度は異なっている、
ことを特徴とする装置。
【請求項２７】
前記第１及び第２の誤り訂正チャンネルのそれぞれは、ハイブリッド自動再送要求スキームを提供する同期チャンネルである請求項２６に記載の装置。
【請求項２８】
前記第１の速度は第１のサービスレベルに対応し、前記第２の速度は第２のサービスレベルに対応し、前記第１のサービスレベルは電話サービスを含むパケット化音声アプリケーションをサポートする、請求項２６に記載の装置。
【請求項２９】
前記第１の誤り訂正チャンネルと関連するパラメータを取り決めるように構成されたプロセッサをさらに有し、
前記送信機は、前記取り決められたパラメータに従って前記第１の誤り訂正チャンネルを通じて別のパケットを伝送するようにさらに構成され、
前記プロセッサは、前記第１の誤り訂正チャンネルを通じて伝送されるデータの伝送中に、前記第１の誤り訂正チャンネルと関連する前記パラメータを再取り決めするようにさらに構成される、請求項２６に記載の装置。
【請求項３０】
伝送ユニットの伝送中に、前記第１の速度または前記第２の速度が、前記伝送ユニットのフォーマット、目的の受信端末または前記伝送ユニットのペイロードの何れかに基いて動的に調整される、請求項２６に記載の装置。
【請求項３１】
前記第１及び第２の誤り訂正チャンネルは、マルチキャリア無線ネットワークまたは直交周波数分割多重（OFDM）ネットワークを通じて確立される、請求項２６に記載の装置。
【請求項３２】
通信ネットワークを通じて通信を開始するユーザ入力を受信する手段と、
前記ユーザ入力を表示するように構成されたディスプレイとをさらに有する、請求項２６に記載の装置。
【請求項３３】
異なる速度を複数の同期誤り訂正チャンネルに対して割り当てるように構成された基地局と、
同期確認応答チャンネルの一つを通じてパケットを伝送するように構成された端末と、
を有することを特徴とするシステム。
【請求項３４】
前記複数の同期誤り訂正チャンネルは、マルチキャリア無線ネットワークまたは直交周波数分割多重（OFDM）ネットワークを通じて確立され、かつ前記複数の同期誤り訂正チャンネルのそれぞれはハイブリッド自動再送要求スキームを提供する、請求項３３に記載のシステム。
【請求項３５】
異なる速度を複数の同期誤り訂正チャンネルに対して割り当てるように構成された端末と、
前記複数の同期誤り訂正チャンネルの一つを通じてパケットを伝送するように構成された基地局と、
を有することを特徴とするシステム。
【請求項３６】
前記複数の同期誤り訂正チャンネルは、マルチキャリア無線ネットワークまたはOFDM無線ネットワークを通じて確立され、かつ前記複数の同期誤り訂正チャンネルのそれぞれはハイブリッド自動再送要求スキームを提供する、請求項３５に記載のシステム。
【発明の詳細な説明】
【技術分野】
【０００１】
本発明の様々な実施形態は、一般に通信に関する。
【背景技術】
【０００２】
セルラシステム（例えば、スペクトル拡散システム（符号分割多重アクセス（CDMA）ネットワークなど）あるいは時分割多重アクセス（TDMA）ネットワーク）といった無線通信システムは、豊富なサービスと特徴に加えて携帯の利便性をユーザに提供する。この利便性は、音声及びデータ（テキスト情報及びグラフィック情報を含む）を通信する点でのビジネスユース及びパーソナルユースに対する通信の受け入れられた態様として、益々増加する多くのコンシューマにより幅広く採用されている。加入者のタイプ及び彼らの通信のニーズの多様性のため、サービスプロバイダは、クオリティオブサービス（QoS）の様々なレベルを反映するサービスを提供することに集中している。例えば、パーソナルユースのために、加入者は、低料金とのトレードオフとして、低QoSレベル（例えば、相対的に長い遅延、より低いデータレート、あるいはより低い有用性）を受け入れてもよい。一方、ビジネスの加入者は、コストに対する主な見返りとして最小遅延、高速及び高有用性のような、より高いQoSレベルを要求しがちである。したがって、無線通信技術が進化し続ける限り、異なるQoS要求を持つ用途に対するサポートは避けられない。このことは、ネットワークキャパシティの効率的な管理を重視することになる。
【０００３】
伝送誤りは、キャパシティに著しいコストをかけると認識されている。破損したパケットはパケットの再送を必要とし、それによりスループットが効率的に上昇することなく追加の帯域幅を消費するためである。そのため、誤り訂正メカニズムは、高いスループット及び効率的な帯域幅の利用において重要な役割を果たす。
【０００４】
誤り訂正に対する従来のアプローチは、それらが様々な用途の遅延要求及び異なるパケットエラーレート（PER）に適合できない点で柔軟性を欠く。またこれらのアプローチは、動作するために著しいオーバーヘッドを必要とし、それにより、それらの使用から得られる如何なる利益も台無しにしている。
【０００５】
そこで、オーバーヘッドを最小化しつつ、QoS要求をサポートできる、効率的な誤り訂正スキームを提供するアプローチに対する要求が存在している。
【発明の開示】
【０００６】
本願は、米国特許法第119条(e)の規定に従って2005年12月30日付けで出願された米国仮特許出願第60/755,727号、「無線通信システム用リンク適応スキームを提供する方法及び装置」の先の出願日の利益を請求し、その仮出願の全体は参照として組み込まれる。
【０００７】
これら及び他の必要性は、本発明により扱われ、本発明において、マルチレートチャンネルを利用する誤り訂正スキームを提供するアプローチが示される。
【０００８】
本発明の実施形態の一つの側面によれば、方法は、第１の速度を第１の誤り訂正チャンネルに割り当てることを含む。またその方法は、第２の速度を第２の誤り訂正チャンネルに割り当てることを含み、ここで第１の速度と第２の速度は異なっている。
【０００９】
本発明の実施形態の他の側面によれば、装置は、第１の速度を第１の誤り訂正チャンネルに割り当て、第２の速度を第２の誤り訂正チャンネルに割り当てるように構成されたプロセッサを有する。その第１の速度と第２の速度は異なっている。
【００１０】
本発明の実施形態の他の側面によれば、方法は、第１の速度の第１の誤り訂正チャンネルを通じてパケットを伝送することを含む。またその方法は、第２の速度の第２の誤り訂正チャンネルを通じて別のパケットを伝送することを含み、ここで第１の速度と第２の速度は異なっている。
【００１１】
本発明の実施形態の他の側面によれば、装置は、第１の速度の第１の誤り訂正チャンネルを通じてパケットを伝送し、第２の速度の第２の誤り訂正チャンネルを通じて別のパケットを伝送する送信機を有する。その第１の速度と第２の速度は異なっている。
【００１２】
本発明の実施形態の他の側面によれば、システムは、異なる速度を複数の同期誤り訂正チャンネルに対して割り当てるように構成された基地局を有する。またそのシステムは、同期誤り訂正チャンネルの一つを通じてパケットを伝送するように構成された端末を有する。
【００１３】
本発明の実施形態のさらに他の側面によれば、システムは、異なる速度を複数の同期誤り訂正チャンネルに対して割り当てるように構成された端末を有する。またそのシステムは、同期誤り訂正チャンネルの一つを通じてパケットを伝送するように構成された基地局を有する。
【００１４】
本発明のさらに他の側面、特徴及び利点は、本発明を実施することが意図されたベストモードを含む、多数の特定の実施形態及び実装を単に示すことにより、以下の詳細な説明から容易に明らかとなるであろう。また本発明は、他の異なる実施形態とすることが可能であり、その幾つかの細部は、本発明の精神及び範囲から全く外れることなく、様々な明らかな観点において変更可能である。したがって、図面及び記述は、事実上例示とみなすべきものであり、限定するものではない。
【発明を実施するための最良の形態】
【００１５】
本発明は、例示用であって限定するものではない、添付の図面によって図示され、それらの図面において、同様の参照番号は、類似の要素を参照する。
【００１６】
マルチレートＮチャンネル誤り訂正メカニズムを提供する装置、方法及びソフトウェアが開示される。以下の記述において、説明のため、本発明の実施形態の完全な理解を提供するために、多数の特定の詳細が記載される。しかしながら、これらの特定の詳細を持たず、あるいは均等な構成を持つ本発明の実施形態を実施可能であることは、当業者にとって明らかである。他の例では、本発明の実施形態を不必要に曖昧にすることを避けるため、周知の構造及びデバイスがブロック図の形式で示されている。
【００１７】
本発明の実施形態をパケットデータネットワーク及びハイブリッド自動再送要求（HARQ）スキームについて議論するが、本発明の実施形態は、通信システムの如何なるタイプ（例えば、無線ネットワーク、有線ネットワーク等）、他の均等な誤り訂正及び／またはレート適応メカニズムにも適用可能であることが、当業者にとって認識される。
【００１８】
図１は、本発明の様々な実施形態に従った、マルチレートＮチャンネル誤り訂正メカニズムを利用可能な無線システムのアーキテクチャの概略図である。例として、ここで述べる誤り訂正メカニズムはハイブリッド自動再送要求（HARQ）スキームである。ハイブリッドARQ（HARQ）はリンク適応メカニズムを提供し、ARQと前方誤り訂正（FEC）技術の組み合わせである。誤りを含むパケットは再送パケットとともに使用される。無線ネットワーク１００は、１以上のアクセス端末（ＡＴ）を含み、そのうちの一つのＡＴ１０１が、無線インターフェース１０３を通じてアクセスネットワーク（ＡＮ）１０５と通信することが示されている。HARQスキームは、受信機（例えばＡＴ１０１）が送信機（例えばＡＮ１０５）に対してパケットまたはサブパケットが不正確に受信されたことを知らせることを認め、このようにしてＡＮ１０５が特定のパケットを再送することを要求する。これは、stop-and-wait（SAW）手順を用いて達成することができ、その手順においてＡＮ１０５はパケットの送信または再送以前にＡＴ１０１からの応答を待機する。
【００１９】
一つの実施形態によるシステム１００は、第３世代パートナーシッププロジェクト２（3GPP2）のcdma2000高速パケットデータリビジョンＣ（cdma2000 Evolution Phase 2としても知られる）ネットワークを提供する。他の実施形態では、システム１００は3GPP Long Term Evolution(LTE)システムをもサポートする。cdma2000システムでは、ＡＴ１０１は移動局と等価であり、アクセスネットワーク１０５は基地局と等価である。
【００２０】
ＡＴ１０１は、ユーザに対してデータ接続性を提供する装置である。例えば、ＡＴ１０１を、パーソナルコンピュータ、携帯情報端末といったコンピュータシステムまたはデータサービスを利用可能な携帯電話に接続することができる。無線コンフィギュレーションは二つの動作モード、すなわち1x及びマルチキャリア（すなわち、Nx、ただしNは整数）を包含する。マルチキャリアシステムは、複数の1xキャリアが下りリンクを通じてＡＴ１０１（若しくは移動局）へのデータ速度を向上することを採用する。したがって、1x技術と異なり、マルチキャリアシステムは複数のキャリアを通じて動作する。言い換えれば、ＡＴ１０１は複数のキャリアと同時にアクセスすることが可能である。さらに、上りリンクが複数のキャリアを利用することもできる。
【００２１】
ＡＮ１０５は、グローバルインターネット１１３とＡＴ１０１間のように、パケット交換データネットワーク間のデータ接続性を提供するネットワーク装置である。ＡＮ１０５は、パケット制御機能（PCF）１０９を介してパケットデータサービスノード（PDSN）１１１と通信する。ＡＮ１０５またはPCF１０９の何れか一方が、SC/MM（セッションコントロールアンドモビリティマネジメント）機能を備え、それは他の機能の間でHRPDセッション関連情報を記憶し、ＡＴ１０１が無線ネットワークにアクセスしているときにＡＴ１０１を認証すべきか否かを決定する端末認証手順を実行し、ＡＴ１０１の位置を管理することを含む。PCF１０９は、3GPP2 A.S0001-A v2.0、「3GPP2 アクセスネットワークインターフェース相互運用仕様」、2001年6月（その内容は参照としてここに組み込まれる）、に詳細に喜寿されている。
【００２２】
さらに、ＡＮ１０５はAN-AAA（認証、許可及びアカウントエンティティ）１０７と通信する。AN-AAA１０７はＡＮ１０５に対して端末認証及び許可機能を備える。
【００２３】
cdma2000 1xEV-DV（エボリューション−データ及び音声）及び1xEV-DO（エボリューション−データ最適化）の両方の無線通信規格は、下りリンク及び上りリンクにおける無線インターフェースを通じたデータパケットの転送において使用されるパケットデータチャンネルを指定する。無線通信システム１００を、様々なタイプのサービスを提供するように設計してもよい。これらのサービスは、ポイントツーポイントサービスまたは音声及びデータパケットといった専用サービスを含んでもよく、それによってデータが送信源（例えば、基地局）から特定の受信端末へ伝送される。またそのようなサービスは、ポイントツーマルチポイント（すなわち、マルチキャスト）サービスまたはブロードキャストサービスを含んでもよく、それによってデータが送信源から多数の受信端末（例えば、ＡＴ１０１）へ伝送される。
【００２４】
マルチプルアクセス無線通信システム１００では、ユーザ間の通信は１以上のＡＴ１０１を通じて行われ、一方の無線局におけるユーザは、第２の無線局における第２のユーザと、上りリンクにおいて情報信号を基地局へ伝達することにより通信する。ＡＮ１０５は情報信号を受信し、下りリンクにおいてその情報信号をＡＴ局１０１へ伝達する。そしてＡＮ１０５は下りリンクにおいてその情報信号を局１０１へ伝達する。なお、下りリンクはＡＮ１０５から無線局１０１への伝送を表し、上りリンクは無線局１０１からＡＮ１０５への伝送を表す。ＡＮ１０５は無線局のユーザから上りリンクにおいてデータを受信し、公衆電話交換ネットワーク（PSTN）を通じて固定局の第２のユーザへデータをルーティングする。多くの通信システム、例えば、IS-95、ワイドバンドCDMA（WCDMA）及びIS-2000では、下りリンク及び上りリンクは異なる周波数が割り当てられる。
【００２５】
例示の実施形態では、ＡＮ１０５は高データ速度サービスをサポートする高速パケットデータ（HRPD）基地局を含む。その基地局は１以上の送受信機を介してアクセス端末とネットワーク間の無線周波数（RF）インターフェース（キャリア）を提供することを理解されたい。HRPD基地局は、HRPD基地局によって果たされる各セクタ（若しくはセル）に対するHRPDアプリケーションのための異なるデータオンリー（DO）キャリアを提供する。異なる基地局またはキャリア（図示せず）は音声アプリケーションに対して音声キャリアを提供する。HRPDアクセス端末は、DOアクセス端末であってもよく、または音声サービスとデータサービスの両方を利用可能なデュアルモード携帯端末であってもよい。データセッションに携わるために、HRPDアクセス端末はDOキャリアと接続し、DO高速データサービスを使用する。そのデータセッションはパケットデータサービスノード（PDSN）１１１により制御され、そしてHRPDアクセス端末とインターネット間の全てのデータ端末をルーティングする。PDSN１１１は、パケット制御機能（PCF）１０９に対する直接接続を有し、それはHRPD基地局の基地局コントローラ（BSC）と連動している。BSCは、HRPD基地局の動作、メンテナンス及び管理、音声符号化、速度適応及び無線源の操作に関与する。BSCは異なるノードであってもよく、あるいは１以上のHRPD基地局と共同で設置されてもよいことを理解されたい。
【００２６】
1xキャリアでは、各HRPD基地局は複数（例えば３個）のセクタ（またはセル）として機能することができる。しかし、各HRPD基地局は、一般に、単一のセル（オムニセルと呼ばれる）のみとして機能することを理解されたい。また、ネットワーク１００は複数のHRPD基地局を含んでもよく、各基地局は、同一のHRPD基地局のセクタ間または異なるHRPD基地局のセクタ間でハンドオフ可能なHRPD移動局とともに、１以上のセクタとして機能することを理解されたい。各セクタ（またはセル）について、HRPD基地局は、単一の共有された時分割多重（TDM）下りリンクを採用し、単一のHRPD移動端末を単一のユーザパケットにより機能させ、複数の移動端末をどんな場合においても複数のユーザパケットにより機能させることが可能である。下りリンクのスループットは、全てのHRPD移動端末により共有される。HRPDアクセス端末は、セクタへ向かうそのデータ速度制御（DRC）を示し、チャンネル状況にしたがって（すなわち、チャンネルのキャリア対インターフェース（C/I）に基づいて）下りデータ速度を要求することにより、HRPD基地局のサービスセクタを選択する。
【００２７】
無線通信技術は、異なる特徴を備えた様々なアプリケーションに対して、より高いデータ速度及びより良好なサービス品質を提供すべく発展を続けている。cdma2000高速パケットデータ（HRPD）規格は、1.25MHzのキャリア周波数にわたって高いデータ速度を提供する。このシステムは、一つの1.25MHzキャリア（1x）においてデータオンリー（DO）サービスを提供し、それは時として1xDOシステムと呼ばれる。サービスの提供をさらに向上するために、このcdma2000HRPD規格は、マルチキャリアCDMAシステムを担う必要がある。このシステム（マルチキャリアHRPD(MC-HRPD)システムまたはNx DOシステムと呼ばれる）では、アクセス端末（ＡＴ）は、複数の1.25MHz帯域においてデータストリームを送信し、かつ／または受信することができる。cdma2000HRPDシステムのさらなる発展は、直交周波数分割多重（OFDM）、複数入力−複数出力（MIMO）技術、空間分割多重（SDMA）及び干渉キャンセルといった先進の通信技術を採用する。これらのシステムは、1.25MHz〜20MHzのスペクトルにおいて動作可能である。
【００２８】
マルチキャリア動作において、多数のＡＴを適応させる一つのアプローチが、3GPP2コントリビューションC25-20050620-030、「Increased Forward Link MAC Indices For Multi-Carrier Operation」、2005年6月20日（それは全体としてここに参照として組み込まれる）に説明されている。
【００２９】
図２Ａ及び図２Ｂは、本発明の様々な実施形態に従った、マルチレートＮチャンネル誤り訂正メカニズムに関する処理のフローチャートである。システム１０１は、複数の誤り訂正チャンネル（例えば、HARQチャンネル）を利用する。様々な実施形態によれば、これらのチャンネルは同期化される。図２Ａに示されるように、複数のチャンネルには異なる速度が割り当てられ（ステップ２０１）、そのため一つのチャンネルは特定の一つの速度を持ち、他のチャンネルには異なる速度が割り当てられる。言い換えれば、再送信間の時間間隔を一つのチャンネルと他のチャンネルとの間で変えることができるが、特定のチャンネル（すなわち、HARQインスタンス）内での送信間の時間間隔は、通信の同期特性を維持するために一定となる。
【００３０】
この例では、誤り訂正チャンネルの割り当ては、ＡＴ１０１において実行される。しかし、その割り当てをＡＮ１０５において実行可能であることが意図されている。ＡＮ１０５からHARQチャンネルを通じてＡＴ１０１においてパケット（あるいはサブパケット）が受信される（ステップ２０３）。ＡＴ１０１は、マルチレートHARQコンフィギュレーション（例えば、HARQチャンネルパラメータ）に対応する適切な確認応答チャンネルを通じた確認応答シグナリングを提供する（ステップ２０５）。確認応答シグナリングは、ACK（確認応答）メッセージ及び／またはNACK（未確認応答）メッセージを含むことができる。
【００３１】
チャンネル速度の何れか一つを、パラメータの変化に基づいて動的に調整することができる（ステップ２０７）。例えば、誤り訂正チャンネル（例えば、HARQチャンネル）の速度を、パケットの伝送フォーマット、目的の受信ノード及び／または伝送ペイロードに基づいて変えることができる。一つの実施形態では、HARQチャンネルの速度を、伝送フォーマット情報の一部（例えば、符号化パケットサイズ、スロット数及びその他のパラメータのｎ個の組（ｎは整数）により特定することができる伝送フォーマット）とすることができる。HARQインスタンスの速度を、伝送フォーマット内に他のエントリとして追加することもできる。さらに、HARQチャンネルの速度を、HARQインスタンスごとに変えることもできる。
【００３２】
図２Ｂに示すように、この例における誤り訂正メカニズムは、さらに、誤り訂正パラメータを取り決める能力を提供する。したがって、ＡＴ１０１及びＡＮ１０５は、例えば、確認応答シグナリングメッセージの相対的なタイミング、各伝送ユニットの期間、HARQインスタンスごとの伝送ユニットの最大数を取り決めることができる（ステップ２１１）。取り決めが完了すると、ＡＴ１０１は取り決められたパラメータを用いて通信する。そのような通信を、例えば、ARQ動作の実行と呼ぶことができる。この通信の後、ＡＴ１０１及びＡＮ１０５は、これらのパラメータを再度取り決めることができる（ステップ２１５においてそのような再取り決めが望まれるか否かが決定されるため）。誤り訂正パラメータの修正は、既に述べたように、ステップ２１１及び２１３にしたがって処理される。
【００３３】
このように、相対的なタイミング、各伝送ユニットの期間、HARQインスタンスごとの伝送ユニットの最大数を、通信の最初において構成し、取り決めることができ、通信中の何れかの時点においてそれらを再度構成し、再度取り決めることができる。その構成及び再構成を、例えば、シグナリングメッセージを介して通信することができる。
【００３４】
上記のマルチレートＮチャンネル誤り訂正メカニズムをより良く理解するために、図３及び図４の従来の誤り訂正アプローチを試すことは有益である。
【００３５】
図３及び図４は、それぞれ、従来の誤り訂正スキームであるＮチャンネル同期ハイブリッド自動再送要求（HARQ）スキーム及び非同期適応Incremental Redundancy（AAIR）スキームの概略図である。図３及び図４に示すような、従来の技術は、例えば、同期４チャンネルHARQメカニズム及び非同期適応Incremental Redundancy（AAIR）を含む。同期４チャンネルHARQメカニズムは、cdma2000高速パケットデータ（HRPD）において採用されており、一方、AAIRはcdma2000 Rev. D（EV-DV）において採用されている。しかし、これらの技術は個別の欠点を持つ。Ｎチャンネル同期HARQの欠点はそのスキームが柔軟性を持たないことにある。例えば、そのスキームは異なるQoSレベルに対して容易に適応させることができない。一般に、AAIR及び他の非同期ARQメカニズムは動作のために多量のオーバーヘッドを必要とし、そのようなメカニズムを実装する利益を事実上打ち消してしまう。
【００３６】
図３に示すように、Ｎチャンネル同期HARQでは、データストリーム３０１全体の伝送デューティサイクルがＮ個のインターレース（Ｎは整数）に分割される。説明のため、二つのチャンネル（BチャンネルとGチャンネル）が'B'、'G'の識別文字で表される。伝送は'Xyz'として表される。ここで'X'はHARQのチャンネルID（識別子）を表し、'y'はそのHARQチャンネルにおけるパケットIDを表し、'z'は送信中のパケットのサブパケットIDを表す。例えば、'B00'は、'B'HARQチャンネル上で伝送される第１のパケットの第１のサブパケットを示す。各HARQチャンネル内では、基本的なARQメカニズムはstop-and-waitである。この例では、ACKメッセージ３０３は、受信機（例えば、ＡＴ１０１）により、B00サブパケットを受信した上で、'B'HARQチャンネルを通じて伝送される。'G'HARQチャンネルは、G00サブパケットが受信されなかったことを送信機（例えば、ＡＮ１０５）に通知するNACKメッセージ３０５を伝送するために別個に使用される。またG01サブパケットも受信されておらず、ＡＴ１０１により'G'HARQチャンネルを通じてNACKメッセージ３０７が伝送される。しかし、G02の伝送が成功すると、その結果として、ＡＴ１０１は、そのことを知らせるACKメッセージ３０９をＡＮ１０１へ伝送する。'B'HARQチャンネルに関しては、B10サブパケットが受信されておらず、そのことによりNAKメッセージ３１１がＡＮ１０５へ伝送される。B11サブパケットが成功裡に配信されたことを確認応答するために、ACKメッセージ３１３が伝送される。複数のチャンネルを用いることにより、完全なデューティサイクルを達成することができる。すなわち、一つのチャンネルがＡＴ１０１からの確認応答を待機している間に、他のHARQチャンネル上で伝送することができる。しかし、このアプローチは、潜在的に異なるサービスレベルの速度と関連する異なるアプリケーションにはより柔軟に適応する必要があるということを認識していない。
【００３７】
非同期適応Incremental Redundancyを用いるときも、複数のHARQチャンネルが存在する。この場合では、図４は図３の例における'B'と'G'チャンネルを示す。同期HARQと異なり、HARQチャンネルの相対的なタイミングは固定されていない。各送信期間を、チャンネル状況に適応させるために変化させてもよい。したがって、AAIR動作は、データストリーム４０１内で送信期間が変動するサブパケットを採用する。その結果、シグナリングメッセージ４０３は、ＡＮ１０１に異なる時間に到達することができる。上記のように、このアプローチは、一つとして、送信の非同期特性に対応するために多量のオーバーヘッドを必要とする。
【００３８】
これに対して、図５Ａ及び図５ＢのマルチレートＮチャンネル誤り訂正メカニズムは、図３及び図４のスキームの欠点を解消する。このマルチレートＮチャンネル誤り訂正メカニズムの動作の詳細を以下に示す。
【００３９】
図５Ａ及び図５Ｂは、本発明の様々な実施形態に従った、マルチレートＮチャンネルHARQスキームの概略図である。このスキームを用いると、複数のHARQチャンネルは異なる速度を持つことができる。言い換えれば、再送信間の時間間隔を、異なるHARQチャンネルに対して異ならせることができる。しかし、これらのHARQチャンネルは実際にはまだ同期化されている。すなわち、送信間の時間間隔が一つのHARQインスタンスに対して一定に保たれており、そのため、オーバーヘッドを最小化できる。マルチレートＮチャンネルHARQスキームは、単一レートＮチャンネルHARQと比較して複雑かつオーバーヘッドを持つものの、異なる遅延及びスループット要求に対応する、より高い柔軟性を持つ。
【００４０】
例示の実施形態では、全ての伝送ユニット（図５Ａに示す）はデータストリーム５０１内で同一の期間を持つ。これらの伝送ユニットはサブパケットとして呼ぶこともできる。この期間をスロット（例えば、物理レイヤの伝送における基本ユニット）とすることができる。この期間をスロットの一部またはスロットの複数倍とすることもできることに留意されたい。図５Ａに示すように、複数のHARQチャンネルのタイミングは固定される。例示のために、３個のHARQチャンネル、すなわち'B'チャンネル（'Bxx'）、'G'チャンネル（'Gxx'）、'Gダッシュ'チャンネル（'G'xx'）、が示される。この例では、'B'チャンネルは４スロット毎に使用され、'G'チャンネルは８スロット毎に使用され、'Gダッシュ'チャンネルも８スロット毎に使用される。
【００４１】
例えば、下りリンクにおいて、'G'及び'Gダッシュ'チャンネルは、高いデータ速度を要求する移動局（アクセス端末または装置）への伝送に使用することができる。これらの移動局に対して、好適なチャンネル状況を活用するスケジューラにとって、フェーディングが速すぎることがしばしば起きる。このため、より豊富な時間多様性を実現するために、再送信間の時間間隔を増やすことが必要とされることもある。また、低速のHARQチャンネルを、低コストの受信機に対応するために使用することができる。再送信間のより長い時間間隔が、確認応答を送り返す前にパケットを復号するのに受信機（例えば、ＡＴ１０１０）に対してより長い時間を配分できるためである。
【００４２】
一方、'B'チャンネルを低速な移動局への伝送に使用することができる。これらの移動局にとって、チャンネル状況は一般にゆっくりと変化する。そのため、スケジューラが、正確なチャンネル状態情報を取得し、伝送速度を適応させることが可能となる。この場合では、不正確な速度適応を与える、チャンネル状況の大きな変化がないように再送信間の時間間隔を減少させるとより有益である。
【００４３】
異なる速度を持つ複数のHARQチャンネルを、異なるサービス品質要求（すなわち、QoSレベル、サービスレベルアグリーメント（SLA）等）を持つ複数のアプリケーションをサポートするために使用することもできる。例えば、高速なHARQチャンネルを、ボイスオーバーIP（インターネットプロトコル）のような電話サービスを含む、パケット化された音声アプリケーションのような、遅延に敏感なアプリケーションをサポートするために使用し、一方、低速なHARQチャンネルをベストエフォートトラフィックをサポートするために使用することができる。
【００４４】
それぞれのHARQチャンネルに対応する確認応答シグナリングメッセージ５０３は、特定のチャンネルに関して固定の時間間隔で伝送される。
【００４５】
図５Ｂは、マルチレートＮチャンネルHARQの他の実施形態を示す。この例示の実施形態では、複数のサブパケットが異なる期間を持ってもよい。図示のように、例として、データストリーム５０５内のサブパケット'G00'が二つのスロット内で伝送され、一方、サブパケット'B00'が一つのスロット内で伝送される。しかし、'G'チャンネルと'B'チャンネルの相対的なタイミングは固定されている。
【００４６】
上記の実施形態に加えて（あるいは上記の実施形態の代わりに）、マルチレートＮチャンネル誤り訂正メカニズムが多くの他の形式で実装可能であることが意図されている。上記の例示の実施形態では二つの異なる速度が示されているが、マルチレートＮチャンネル誤り訂正メカニズムは、２よりも多い速度、かつ２よりも多い送信期間を含む他の想定に対しても適用可能である。また、確認応答のタイミングを、図５Ａ及び図５Ｂに示すように固定とする必要はない。
【００４７】
ここまで述べてきた、（送信間の異なる時間間隔を提供する）マルチレートHARQチャンネルは、多くの利点を有する。例えば、図５Ａ及び図５Ｂの配列は様々なチャンネル状況及び異なるアプリケーションに対応する非常に大きな柔軟性を提供する。さらに、このアプローチの下では、無線源のより効果的な利用を達成することができる。
【００４８】
当業者は、マルチレートＮチャンネル誤り訂正メカニズムを提供するプロセスを、ソフトウェア、ハードウェア（例えば、汎用プロセッサ、デジタル信号処理（DSP）チップ、特定用途向け集積回路（ASIC）、フィールドプログラマブルゲートアレイ（FPGA）等）、ファームウェアまたはそれらの組み合わせを介して実装可能であることを認識するであろう。上記の機能を実行する例示のそのようなハードウェアの詳細を以下に示す。
【００４９】
図６は、本発明の様々な実施形態を実装可能な例示のハードウェアを示す。コンピュータシステム６００は、情報を通信するためのバス６０１または他の通信メカニズムと、バス６０１に結合され、情報を処理するためのプロセッサ６０３を含む。またコンピュータシステム６００は、ランダムアクセスメモリ（RAM）または他の動的記憶装置といった、バス６０１に結合され、情報及びプロセッサ６０３により実行される命令を記憶するためのメインメモリ６０５を含む。メインメモリ６０５は、プロセッサ６０３により命令が実行されている間、一時的な変数または他の中間情報を記憶するためにも使用することができる。さらにコンピュータシステム６００は、バス６０１に結合され、静的な情報及びプロセッサ６０３用の命令を記憶するためのリードオンリーメモリ（ROM）６０７または他の静的記憶装置を含んでいてもよい。磁気ディスクまたは光学ディスクといった、永続的に情報及び命令を記憶するための記憶装置６０９がバス６０１に結合される。
【００５０】
コンピュータシステム６００は、バス６０１を介して、液晶ディスプレイ、アクティブマトリクスディスプレイといった、情報をユーザに表示するためのディスプレイ６１１に結合されてもよい。英数字及び他のキーを含むキーボードといった入力デバイス１３を、プロセッサ６０３に対してコマンドを選択し、情報を通信するためにバス６０１に結合してもよい。入力デバイス６１３は、マウス、トラックボールまたはカーソル方向キーといったカーソルコントロールを、プロセッサ６０３に対するコマンドの選択及び方向情報の通信のため、及びディスプレイ６１１上でカーソルの移動を制御するために含むことができる。
【００５１】
本発明の様々な実施形態によれば、上記のプロセスを、メインメモリ６０５に含まれた命令配列を実行するプロセッサ６０３に応答して、コンピュータシステム６００により提供することができる。そのような命令を、記憶装置６０９のような他のコンピュータ読取可能な媒体からメインメモリ６０５に読み出すことができる。メインメモリ６０５に含まれる命令配列を実行することにより、プロセッサ６０３は上記のプロセスのステップを実行する。マルチプロセッサ構成における１個以上のプロセッサを使用し、メインメモリ６０５に含まれる命令を実行してもよい。他の実施形態では、ハードワイヤード回路を、本発明の実施形態を実装するソフトウェア命令の代わりに、あるいはそのソフトウェア命令とともに使用してもよい。他の例では、論理ゲートの機能性及び接続トポロジーを、代表的にはプログラミングメモリルックアップテーブルにより、実行時においてカスタマイズ可能なフィールドプログラマブルゲートアレイ（FPGA）のような、再構成可能なハードウェアを使用してもよい。このように、本発明の実施形態は、ハードウェア回路及びソフトウェアの特定の組み合わせには限定されない。
【００５２】
コンピュータシステム６００は、バス６０１に結合された少なくとも一つの通信インターフェース６１５も含む。通信インターフェース６１５は、ネットワークリンク（図示せず）に対して双方向データ通信カップリングを提供する。通信インターフェース６１５は、様々なタイプの情報を表すデータストリームを搬送する電気信号、電磁波信号または光学信号を送信し、受信する。さらに、通信インターフェース６１５は、ユニバーサルシリアルバス（USB）インターフェース、PCMCIA（パーソナル・コンピュータ・メモリカード・インターナショナル・アソシエーション）インターフェース等のような、周辺機器インターフェースを含んでもよい。
【００５３】
プロセッサ６０３は、受信する一方、送信されるコードを実行し、かつ／またはそのコードを後で実行するために記憶装置６０９または他の不揮発性メモリに記憶してもよい。この方式では、コンピュータシステム６００は搬送波の形式でアプリケーションコードを取得することができる。
【００５４】
ここで使用される「コンピュータ読取可能な記録媒体」という用語は、実行に際してプロセッサ６０３に命令の提供に関与する如何なる媒体も表す。そのような媒体は多くの形態をとることが可能であり、不揮発性媒体、揮発性媒体、及び伝送媒体を含むが、これらに限定されるものではない。不揮発性媒体は、例えば、記憶装置６０９のような光学または磁気ディスクを含む。揮発性媒体は、メインメモリ６０５のような動的メモリを含む。伝送媒体は、バス６０１を有する線を含む、同軸ケーブル、銅線及び光ファイバを含む。また伝送媒体は、無線周波数（RF）及び赤外（IR）データ通信中に生成される、音、光、電磁波の形をとることもできる。コンピュータ読取可能な記録媒体の一般的な形式は、例えば、フロッピー（登録商標）ディスク、フレキシブルディスク、ハードディスク、磁気テープ及び他の磁気媒体、CD-ROM、CDRW、DVD及び他の光学媒体、パンチカード、紙テープ、光マークシート及びホール若しくは他の光学的に認識可能な指標のパターンを持つ他の物理媒体、RAM、PROM、EPROM、FLASH-EPROM及び他のメモリチップ若しくはカートリッジ、搬送波またはコンピュータが読み取り可能な他の媒体を含む。
【００５５】
様々な形式のコンピュータ読取可能な媒体が、実行に際してプロセッサに命令の提供に関与してもよい。例えば、本発明の少なくとも一部を実行する命令を、リモートコンピュータの磁気ディスクにおいて最初に担持してもよい。そのような想定では、リモートコンピュータはその命令をメインメモリにロードし、モデムを使用して電話線を通じてその命令を送信する。ローカルシステムのモデムはそのデータを電話線において受信し、赤外送信機を使用してそのデータを赤外信号に変換し、その赤外信号を、携帯情報端末（PDA）またはラップトップといったポータブルコンピュータデバイスへ伝送する。ポータブルコンピュータデバイスの赤外検出器は、赤外信号によって運ばれた情報及び命令を受信し、バス上にそのデータを置く。バスはそのデータをメインメモリに運び、そしてメインメモリからプロセッサがそのデータを読み出して命令を実行する。メインメモリによって受信された命令を、任意に、プロセッサによる実行の前後のどちらかにおいて記憶装置に記憶することができる。
【００５６】
図７Ａ及び図７Ｂは、本発明の様々な実施形態をサポートすることが可能な異なる携帯電話システムの概略図である。図７Ａ及び図７Ｂは、例示の携帯電話システムを示し、それぞれ、移動局（例、携帯電話機）と基地局の両方を有し、その移動局及び基地局内は、（例えば、デジタル信号プロセッサ（DSP）の一部として）実装された送信機、ハードウェア、ソフトウェア、集積回路、及び／又は半導体デバイスをその移動局及び基地局内に持つ。例として、無線ネットワークは、インターナショナル・モバイル・テレコミュニケーション2000（IMT-2000）に対して国際電気通信連合により規定された第２世代及び第３世代（2G及び3G）サービスをサポートする。説明のため、無線ネットワークのキャリア及びチャンネル選択能力をcdma2000アーキテクチャに関して説明する。IS-95の第３世代バージョンとして、cdma2000は、第３世代パートナーシッププロジェクト２（3GPP2）において標準化が進められている。
【００５７】
無線ネットワーク７００は、基地局サブシステム（BSS）７０３と通信する移動局７０１（例えば、携帯電話機、端末、局、ユニット、デバイスまたはユーザに対する何れかのタイプのインターフェース（「ウェアラブル」回路等といったもの））を含む。本発明の一つの実施形態によれば、無線ネットワークはインターナショナル・モバイル・テレコミュニケーション2000（IMT-2000）に対して国際電気通信連合により規定された第３世代（3G）サービスをサポートする。
【００５８】
この例では、BSS７０３は、基地局（BTS）７０５及び基地局制御装置（BSC）７０７を含む。一つのBTSのみが図示されているが、代表的には複数のBTSが、ポイントトゥーポイントリンクを通じてBSCに接続されることを認識されたい。各BSS７０３は、伝送制御エンティティまたはパケット制御機能（PCF）７１１を通じてパケットデータサービスノード（PDSN）７０９とリンクされる。PDSN７０９は、外部ネットワーク（例えばインターネット７１３またはコンシューマの他のプライベートネットワーク７１５）へのゲートウェイとして機能するので、PDSN７０９はアクセス認証アカウンティングシステム（AAA）７１７を含み、ユーザの識別及び特権を安全に決定することができ、かつ各ユーザのアクティビティを追跡することができる。ネットワーク７１５はネットワーク管理システム（NMS）７３１を有し、NMS７３１は１以上のデータベース７３３とリンクされ、データベース７３３はホームAAA７３７により保証されたホームエージェント（HA）７３５を通じてアクセスされる。
【００５９】
一つのBSS７０３のみが図示されているが、代表的には複数のBSS７０３が移動通信交換局（MSC）７１９に接続されることを認識されたい。MSC７１９は、公衆電話交換ネットワーク（PSTN）７２１のような回路交換電話ネットワークに対する接続性を提供する。同様に、MSC７１９は同一のネットワーク７００及び／又は他の無線ネットワーク上で他のMSC７１９接続され得ることを認識されたい。MSC７１９は、一般にビジターロケーションレジスタ（VLR）７２３データベースとともに用いられ、そのデータベースは、MSC７１９に対するアクティブな加入者についての情報を一時的に保持する。VLR７２３データベース内のデータは、かなりの範囲までホームロケーションレジスタ（HLR）７２５データベースのコピーである。HLR７２５データベースは詳細な加入者サービスの加入情報を蓄積する。幾つかの実装形態では、HLR７２５及びVLR７２３は物理的に同一のデータベースである。しかし、HLR７２５を、例えばシグナリングシステム７（SS7）ネットワークを通じてアクセスされる遠隔地に配置することもできる。暗証番号のような加入者特定認証データを保持する認証センタ（AuC）７２７は、認証するユーザについてHLR７２５と関連付けられる。さらに、MSC７１９はショートメッセージサービスセンタ（SMSC）７２９と接続され、SMSC７２９はショートメッセージを蓄積し、無線ネットワーク７００からのショートメッセージを無線ネットワーク７００へ転送する。
【００６０】
携帯電話システムの代表的な動作中、BTS７０５は、電話コールまたは他の通信を行っている移動ユニット７０１のセットから上りリンクの信号セットを受信し、復調する。所定のBTS７０５によって受信された各上りリンク信号は、その局内で処理される。処理結果のデータはBSC７０７へ転送される。BSC７０７は、BTS７０５間のソフトハンドオフの組織化を含むコールリソースアロケーション（call resource allocation）及びモビリティ・マネジメント機能を提供する。またBSC７０７は、受信したデータをMSC719へルーティングし、PSTN７２１との連動に対して追加のルーティング及び／またはスイッチングを順番に提供する。MSC７１９は、コールセットアップ、コール終了、MSC内ハンドオーバ及び補助サービスの管理、訂正、課金及びアカウンティング情報について責任を持つ。同様に、無線ネットワーク７００は下りリンクメッセージを送信する。PSTN７２１はMSC７１９と連動する。MSC７１９はさらにBSC７０７と連動し、ついでBTS７０５と通信する。BTS７０５は下りリンク信号のセットを変調し、移動ユニット７０１のセットに対して伝送する。
【００６１】
図７Ｂに示すように、汎用パケット無線システム（GPRS）インフラストラクチャ７５０の二つのキーエレメントはサービングGPRSサポートノード（SGSN）７３２及びゲートウェイGPRSサポートノード（GGSN）７３４である。さらに、GPRSインフラストラクチャは、パケットコントロールユニット（PCU）７３６及び請求システム７３９にリンクされた課金ゲートウェイ機能（CGF）７３８を含む。GPRS移動局（MS）７４１は加入者識別モジュール（SIM）７４３を採用する。
【００６２】
PCU７３６は、GPRS関連機能（無線インターフェースアクセスコントロール、無線インターフェースにおけるパケットスケジューリング及びパケットの組み立て、再組み立てなど）について責任を持つ論理ネットワークエレメントである。一般に、PCU７３６はBSC７４５に物理的に集積される。しかし、それをBTS７４７及びSGSN７３２と一緒に用いることもできる。SGSN７３２は、移動体管理、セキュリティ及びアクセスコントロール機能を含むMSC７４９と等価な機能を、パケット交換ドメインにて提供する。さらに、SGSN７３２は、例えば、BSS GPRSプロトコル（BSSGP）を用いたフレームリレーインターフェースを通じてPCU７３６との接続性を持つ。一つのSGSNのみが図示されているが、複数のSGSN７３１が採用され、それらがサービスエリアを対応するルーティングエリア（RA）に分割できることを認識されたい。SGSN/SGSNインターフェースは、継続中のパーソナル・ディベロップメント・プランニング（PDP）コンテキスト中にRAの更新が生じたときに古いSGSNから新しいSGSNへのパケットトンネリングを可能にする。所定のSGSNが複数のBSC７４５のために働く一方、何れかのBSC７４５は一般に一つのSGSN７３２と連動する。また、SGSN７３２は、GPRSエンハンスド移動通信応用部（MAP）を用いたSS7ベースのインターフェースを通じてHLR７５１と任意に接続されるか、信号接続制御部（SCCP）を用いたSS7ベースのインターフェースを通じてMSC７４９と任意に接続される。SGSN/HLRインターフェースは、SGSN７３２がHLR７５１に対してロケーションアップデートを提供し、SGSNサービスエリア内のGPRS関連加入情報を読み出すことを可能にする。SGSN/MSCインターフェースは、音声コールについて加入者をページングするといった回路交換サービスとパケットデータサービス間の連携を可能にする。最後に、SGSN７３２インターフェースは、SMSC７５３と連動してネットワーク７５０を通じたショートメッセージ機能を可能にする。
【００６３】
GGSN７３４は、インターネットまたは他のプライベートなカスタマーのネットワーク７５５といった、外部パケットデータネットワークに対するゲートウェイである。ネットワーク７５５は、PDSN７６１を通じてアクセスされる１以上のデータベース７５９とリンクされたネットワークマネジメントシステム（NMS）７５７を有する。GGSN７３４は、インターネットプロトコル（IP）アドレスを割り当て、リモート認証ダイヤルインユーザーサービスホストとして活動するユーザを認証することができる。また、GGSN７３４に置かれたファイアウォールは、ファイアウォール機能を実行して未認証のトラフィックを制限する。一つのGGSN７３４のみが図示されているが、所定のSGSN７３２は、１以上のGGSN７３４と連動して二つのエンティティ間をユーザデータがトンネルするだけでなく、ネットワーク７５０からネットワーク７５０へトンネルすることを可能とすることを認識されたい。外部データネットワークがGPRSネットワーク７５０全体にわたってセッションを開始するとき、GGSN７３４は、MS７４１を現在たすけているSGSN７３２についてHLR７５１に問い合わせる。
【００６４】
BTS７４７及びBSC７４５は、無線インターフェースを管理し、移動局（MS）７４１がどの時点において無線チャンネルにアクセスしているかを制御することを含む。これらのエレメントは本質的にMS７４１及びSGSN７３２間のメッセージを交換する。SGSN７３２はMS７４１との通信を管理し、データを送受信しかつその位置の追跡を保つ。またSGSN７３２は、MS７４１を登録し、MS７４１を認証し、MS７４１へ送られたデータを暗号化する。
【００６５】
図８は、本発明の実施形態に従った、図７Ａ及び図７Ｂのシステムにおいて動作することが可能な移動局（例、携帯電話機）の例示的な構成要素の概略図である。一般に、無線受信機は、フロントエンド及びバックエンドの特性についてしばしば定義される。受信機のフロントエンドは無線周波数（RF）の全てを包含している一方、バックエンドはベースバンド処理回路の全てを包含している。電話の関連する内部構成要素は、メインコントロールユニット（MCU）８０３、デジタル信号プロセッサ（DSP）８０５及び受信／送信機ユニットを含み、その受信／送信機ユニットはマイクロホンゲインコントロールユニット及びスピーカーゲインコントロールユニットを含む。メインディスプレイユニット８０７は様々なアプリケーション及び移動局機能のサポートにおいてユーザに対する表示を提供する。オーディオ機能回路８０９は、マイクロホン８１１とマイクロホン増幅器を含み、そのマイクロホン増幅器はマイクロホン８１１から出力された音声信号を増幅する。マイクロホン８１１から出力され、増幅された音声信号は、符号／復号器（CODEC）８１３に入力される。
【００６６】
無線セクション８１５は、移動体通信システム（例えば、図７Ａまたは図７Ｂのシステム）に含まれる基地局とアンテナ８１７を介して通信するために、パワーを増幅し周波数を変換する。パワー増幅器（PA）８１９及び送信機／変調回路は、公知のデュプレクサ８２１、サーキュレータあるいはアンテナスイッチと結合されたPA８１９からの出力とともに、MCU８０３に動作上応答する。またPA８１９は、バッテリインターフェース及び電源コントロールユニットと結合する。
【００６７】
使用の際、移動局８０１のユーザはマイクロホン８１１に向かって話し、彼または彼女の音声は検出された背景ノイズとともにアナログ電圧に変換される。そしてそのアナログ電圧は、アナログ−デジタル変換器（ACD）８２３を介してデジタル信号に変換される。コントロールユニット８０３は、そのデジタル信号をDSP８０５にルーティングし、そこで音声符号化、チャンネル符号化、暗号化及びインターリービングといった処理が行われる。例示の実施形態では、処理された音声信号は、個別には図示されていないユニットによって、符号分割多重アクセス（CDMA）の携帯通信プロトコルを用いて符号化される。そのプロトコルの詳細は、電気通信工業会のTIA/EIA/IS-95-A、デュアルモード広帯域拡散スペクトル携帯電話システム用移動局−基地局互換規格に記載されている。その規格は、その全体が参照としてここに組み込まれる。
【００６８】
そして符号化された信号は、位相歪み及び振幅歪みといった、無線を通じての伝送中に生じる周波数依存障害を補償するため、イコライザ８２５へルーティングされる。ビットストリームのイコライジングの後、変調器８２７はその信号をRFインターフェース８２９で生成されたRF信号と結合する。変調器８２７は周波数または位相変調のために正弦波を生成する。伝送信号を準備するために、アップコンバータ８３１は、変調器８２７から出力された正弦波をシンセサイザ８３３により生成された別の正弦波と結合して、所望の伝送周波数を達成する。そしてその信号は、信号を適切なパワーレベルへ増加させるPA８１９を通じて送信される。実際のシステムでは、PA８１９は可変ゲイン増幅器として作用し、その増幅器のゲインはネットワーク基地局から受信した情報からDSP８０５によって制御される。そしてその信号はデュプレクサ８２１内でフィルタリングされ、任意にアンテナ結合器８３５に送られて最大パワー変換を提供するインピーダンスと整合される。最後に、その信号はアンテナ８１７を介してローカル基地局へ伝送される。自動ゲインコントロール（AGC）を受信機の最終段階のゲインをコントロールするために提供してもよい。その信号は、そこから遠隔地の電話（別のセルラテレホン、他の携帯電話または公衆電話交換ネットワーク（PSTN）若しくは他の電話ネットワークに接続された固定電話）へ転送される。
【００６９】
移動局８０１へ伝送された音声信号は、アンテナ８１７を介して受信され、低ノイズ増幅器（LNA）８３７により直ちに増幅される。ダウンコンバータ８３９がキャリア周波数を低下させる一方、復調器８４１はその無線周波数を取り去り、デジタルビットストリームのみを残す。そしてその信号はイコライザ８２５を通ってDSP８０５により処理される。全ては（中央演算ユニット（CPU）として実装可能な）メインコントロールユニット（MCU）８０３の制御の下、デジタル−アナログコンバータ（DAC）８４３はその信号を変換し、得られた出力はスピーカ８４５を通じてユーザへ伝達される。
【００７０】
MCU８０３は、キーボード８４７からの入力信号を含む様々な信号を受け取る。またMCU８０３は、ディスプレイコマンド及びスイッチコマンドを、ディスプレイ８０７及び音声出力交換コントローラへそれぞれ配信する。さらに、MCU８０３は、DSP８０５と情報を交換し、任意に組み込まれたSIMカード８４９及びメモリ８５１にアクセスすることができる。さらに、MCU８０３は、局の要求による様々なコントロール機能を実行する。DSP８０５は、その実装に依存して、音声信号上で多様な従来のデジタル処理機能の何れかを実行してもよい。追加的に、DSP８０５は、マイクロホン８１１により検出された信号から局所的な環境の背景ノイズレベルを求め、マイクロホン８１１のゲインを移動局８０１のユーザの自然な傾向を補償するように選択されたレベルにセットする。
【００７１】
CODEC８１３はADC８２３及びDAC８４３を含む。メモリ８５１は、かかってきた電話のトーンデータを含む様々なデータを記憶し、例えばグローバルインターネットを介して受信した音楽データを含む他のデータを記憶することができる。ソフトウェアモジュールを、RAMメモリ、フラッシュメモリ、レジスタ若しくは公知の書き込み可能な他の形式の記録媒体に常駐させることができる。記憶装置８５１は、単一のメモリ、CD、DVD、ROM、RAM、EEPROM、光学記憶媒体、若しくはデジタルデータを記憶できる他の不揮発性記憶媒体としてもよいが、これらに限定されるものではない。
【００７２】
任意に組み込まれるSIMカード８４９は、例えば、携帯電話番号、キャリア提供サービス、加入者詳細及びセキュリティ情報といった重要な情報を運ぶ。SIMカード８４９は主に無線ネットワーク上の移動局８０１を識別するために役に立つ。またカード８４９は、パーソナル電話番号登録、テキストメッセージ及びユーザ特定移動局設定を記憶するメモリを含む。
【００７３】
図９は、パケットベース及び／又はセルベース技術（例えば、非同期転送モード（ATM）、イーサネット（登録商標）、IPベース等）を利用したデータ通信ネットワークの何れのタイプとすることもできる、企業ネットワークの例を示す。企業ネットワーク９０１は、有線ノード９０３に対してだけでなく、無線ノード９０５−９０９（固定あるいは携帯）に対する接続性を提供する。各ノードは、それぞれ上記の処理を実行するように構成される。企業ネットワーク９０１は、WLANネットワーク９１１（例、IEEE802.11）、cdma2000携帯ネットワーク９１３、電話ネットワーク９１６（例、PSTN）あるいは公衆データネットワーク９１７（例、インターネット）といった様々な他のネットワークと通信可能である。
【００７４】
本発明を、多数の実施形態及び実装例とともに説明してきたが、本発明はそれらに限定されるものではなく、添付の特許請求の範囲に含まれる、様々な明らかな変形例及び等価な構成をカバーするものである。本発明の特徴はその請求項の中の所定の組み合わせによって表現され、これらの特徴は何れの組み合わせ及び順序にも配置できることが意図されている。
【図面の簡単な説明】
【００７５】
【図１】本発明の様々な実施形態に従った、マルチレートＮチャンネル誤り訂正メカニズムを利用可能な無線システムのアーキテクチャの概略図である。
【図２Ａ】本発明の様々な実施形態に従った、マルチレートＮチャンネル誤り訂正メカニズムに関する処理のフローチャートである。
【図２Ｂ】本発明の様々な実施形態に従った、マルチレートＮチャンネル誤り訂正メカニズムに関する処理のフローチャートである。
【図３】従来のＮチャンネル同期ハイブリッド自動再送要求（HARQ）スキームの概略図である。
【図４】従来の非同期適応Incremental Redundancy（AAIR）スキームの概略図である。
【図５Ａ】本発明の様々な実施形態に従った、マルチレートＮチャンネルHARQスキームの概略図である。
【図５Ｂ】本発明の様々な実施形態に従った、マルチレートＮチャンネルHARQスキームの概略図である。
【図６】本発明の様々な実施形態を実装するために使用可能なハードウェアの概略図である。
【図７Ａ】本発明の様々な実施形態をサポートすることが可能な異なる携帯電話システムの概略図である。
【図７Ｂ】本発明の様々な実施形態をサポートすることが可能な異なる携帯電話システムの概略図である。
【図８】本発明の実施形態に従った、図７Ａ及び図７Ｂのシステムにおいて動作することが可能な移動局の例示的な構成要素の概略図である。
【図９】本発明の実施形態に従った、ここに記述された処理をサポートすることが可能な企業ネットワークの概略図である。
【図１】
2009522835.tif 000003
【図２Ａ】
2009522835.tif 000004
【図２Ｂ】
2009522835.tif 000005
【図３】
2009522835.tif 000006
【図４】
2009522835.tif 000007
【図５Ａ】
2009522835.tif 000008
【図５Ｂ】
2009522835.tif 000009
【図６】
2009522835.tif 000010
【図７Ａ】
2009522835.tif 000011
【図７Ｂ】
2009522835.tif 000012
【図８】
2009522835.tif 000013
【図９】
2009522835.tif 000014
【国際調査報告】
2009522835.tif 000015
2009522835.tif 000016
2009522835.tif 000017
2009522835.tif 000018